(57)【要約】【課題】製造コストの低減を図りつつ、各測定ユニット間において同期ずれを生じさせることなく測定処理を実行する。【解決手段】測定対象の物理量を測定して測定データＤａ〜Ｄｃを生成する測定データ生成処理を実行可能に構成されたＤＭＭユニット３ａ〜３ｃと、各ＤＭＭユニット３をそれぞれ装着可能に構成されたユニット装着用スロット４ａ〜４ｃ、および各スロット４を介して測定データ生成処理の処理条件を示す制御信号Ｓｓａ〜Ｓｓｃを各ＤＭＭユニット３に出力して測定データ生成処理を実行させると共に生成された測定データＤをデータ処理する制御部９を有する測定装置本体２とを備え、制御部９は、スロット４を介して各ＤＭＭユニット３に処理開始信号を一斉に出力し、ＤＭＭユニット３は、制御部９から処理開始信号が出力されたときに、実行中の測定データ生成処理を中断して新たな測定データ生成処理を開始する。【選択図】図１
2014044167.tif 000002
【特許請求の範囲】
【請求項１】
測定対象の物理量を測定して測定データを生成する測定データ生成処理を予め規定された周期で繰り返し実行可能に構成された複数の測定ユニットと、当該各測定ユニットをそれぞれ装着可能に構成された複数の測定ユニット装着部、および当該各測定ユニット装着部を介して前記測定データ生成処理の処理条件を示す制御信号を前記各測定ユニットに出力して前記測定データ生成処理を実行させると共に当該各測定ユニットによって生成された前記測定データを対象として予め規定されたデータ処理を実行する処理部を有する測定装置本体とを備え、
前記処理部は、前記測定ユニット装着部を介して前記各測定ユニットに処理開始信号を一斉に出力し、
前記測定ユニットは、前記処理部から前記処理開始信号が出力されたときに、実行中の前記測定データ生成処理を中断して新たな前記測定データ生成処理を開始する測定装置。
【請求項２】
前記処理部は、前記制御信号の一部に前記処理開始信号を含ませて前記各測定ユニットに出力する請求項１記載の測定装置。
【発明の詳細な説明】
【技術分野】
【０００１】
本発明は、測定装置本体に装着された複数の測定ユニット毎に測定対象についての物理量をそれぞれ測定可能に構成された測定装置に関するものである。
【背景技術】
【０００２】
下記の非特許文献１には、パーソナルコンピュータの拡張カードスロットに装着可能に構成されて、パーソナルコンピュータと相まって測定装置を構成するデジタルマルチメータボードが開示されている。このデジタルマルチメータボードは、直流電圧値、直流電流値、交流電圧値、交流電流値および抵抗値のうちのから選択した任意の値をそれぞれ測定可能な２系統（２チャンネル）の測定回路を備え、拡張カードスロットに装着された状態において、各測定チャンネル毎に選択された電気的パラメータをそれぞれ測定してパーソナルコンピュータに測定データを出力する構成が採用されている。また、このデジタルマルチメータボードには、同種の他のデジタルマルチメータボードとの同期動作を可能とするために、同期制御ケーブルによって各デジタルマルチメータボードを相互に接続するための同期制御コネクタが配設されている。
【０００３】
この測定装置を使用する際には、まず、複数のデジタルマルチメータボードを拡張カードスロットに装着した状態において、同期制御ケーブルによって各デジタルマルチメータボードを相互に接続する。次いで、パーソナルコンピュータの操作部を操作して、このデジタルマルチメータボードを使用するための専用プログラムを起動して、各デジタルマルチメータボードのうちの任意の１つをマスタとし、かつ、他のデジタルマルチメータボードをスレーブとして使用するように設定する。これにより、測定処理に際して、マスタのデジタルマルチメータボードからスレーブのデジタルマルチメータボードに同期制御ケーブルを介してイベント信号（割り込み信号）が出力され、スレーブのデジタルマルチメータボードにおいてマスタのデジタルマルチメータボードとほぼ同時に測定処理がスタートする結果、複数のデジタルマルチメータボードを使用した同期測定を実施することが可能となる。
【先行技術文献】
【非特許文献】
【０００４】
【非特許文献１】ＣＯＮＴＥＣ  ＤＭＭ−５５２−ＰＣＩ  データシート  Ｖｅｒ．１．００、［online］、株式会社コンテック、［平成２４年８月１日検索］、インターネット＜ＵＲＬ：http://www2.contec.co.jp/prod_data/dmm552pci/c01.pdf＞
【発明の概要】
【発明が解決しようとする課題】
【０００５】
しかしながら、上記のデジタルマルチメータボードには、以下の解決すべき問題点が存在する。すなわち、上記のデジタルマルチメータボードでは、複数のデジタルマルチメータボード間での同期測定を実施する際に、同期制御ケーブルを介して各デジタルマルチメータボードを相互に接続する構成が採用されている。したがって、上記のマルチメータボードでは、同期制御ケーブル、および同期制御ケーブルを接続するための同期制御コネクタの分だけ、その製造コストが高騰しているという問題点がある。
【０００６】
また、上記のデジタルマルチメータボードでは、上記非特許文献１における「同期制御コネクタ」の説明事項として「スレーブ→マスタの順にスタートします。」と明記されているように、マスタのデジタルマルチメータボードからイベント信号が出力されたときにスレーブのデジタルマルチメータボードにおいて測定処理が開始され、その後にマスタのデジタルマルチメータボードが測定処理を開始する構成が採用されている。このため、上記のデジタルマルチメータボードでは、複数のデジタルマルチメータボードを用いた同期測定に際して、マスタのデジタルマルチメータボードとスレーブのデジタルマルチメータボードとの間に、小さな同期ずれが必ず生じるという問題点がある。
【０００７】
本発明は、かかる解決すべき問題点に鑑みてなされたものであり、製造コストの低減を図りつつ、各測定ユニット間において同期ずれを生じさせることなく測定処理を実行し得る測定装置を提供することを主目的とする。
【課題を解決するための手段】
【０００８】
上記目的を達成すべく、請求項１記載の測定装置は、測定対象の物理量を測定して測定データを生成する測定データ生成処理を予め規定された周期で繰り返し実行可能に構成された複数の測定ユニットと、当該各測定ユニットをそれぞれ装着可能に構成された複数の測定ユニット装着部、および当該各測定ユニット装着部を介して前記測定データ生成処理の処理条件を示す制御信号を前記各測定ユニットに出力して前記測定データ生成処理を実行させると共に当該各測定ユニットによって生成された前記測定データを対象として予め規定されたデータ処理を実行する処理部を有する測定装置本体とを備え、前記処理部は、前記測定ユニット装着部を介して前記各測定ユニットに処理開始信号を一斉に出力し、前記測定ユニットは、前記処理部から前記処理開始信号が出力されたときに、実行中の前記測定データ生成処理を中断して新たな前記測定データ生成処理を開始する。
【０００９】
また、請求項２記載の測定装置は、請求項１記載の測定装置において、前記処理部は、前記制御信号の一部に前記処理開始信号を含ませて前記各測定ユニットに出力する。
【発明の効果】
【００１０】
請求項１記載の測定装置によれば、処理部が、測定ユニット装着部を介して各測定ユニットに処理開始信号を一斉に出力し、測定ユニットが、処理開始信号が出力されたときに、実行中の測定データ生成処理を中断して新たな測定データ生成処理を開始することにより、処理部から各測定ユニットへ処理開始信号を出力するための専用の同期制御ケーブルを使用することなく、各測定ユニットを同期動作させることができるため、同期制御ケーブルや同期制御コネクタを不要とすることができる分だけ、測定装置の製造コストを低減することができる。また、マスタのデジタルマルチメータボードからスレーブのデジタルマルチメータボードにイベント信号を送信して各デジタルマルチメータボードを同期動作させる構成とは異なり、処理部が一斉出力する処理開始信号に従ってすべての測定ユニットが新たな測定データ生成処理を一斉に開始する構成のため、各測定ユニットの間に同期ずれを生じさせることなく測定データ生成処理をそれぞれ実行させることができる。
【００１１】
また、請求項２記載の測定装置によれば、制御信号の一部に処理開始信号を含ませて各測定ユニットに出力することにより、処理開始信号を出力するための信号線用の専用の接続端子を測定ユニット装着部や測定ユニットに設けることなく、処理部から測定ユニットに処理開始信号を出力することができるため、測定装置の製造コストを一層低減することができる。
【図面の簡単な説明】
【００１２】
【図１】測定装置１の構成を示すブロック図である。
【図２】ＤＭＭユニット３ａ〜３ｃの動作状態について説明するための説明図である。
【図３】ＤＭＭユニット３ａ〜３ｃの動作状態について説明するための他の説明図である。
【図４】ＤＭＭユニット３ａ〜３ｃの動作状態について説明するためのさらに他の説明図である。
【発明を実施するための形態】
【００１３】
以下、添付図面を参照して、測定装置の実施の形態について説明する。
【００１４】
図１に示す測定装置１は、「測定装置」の一例であって、測定装置本体２と、測定装置本体２に装着可能に構成されたＤＭＭユニット３ａ〜３ｃとを備えて構成されている。また、測定装置本体２は、ユニット装着用スロット４ａ〜４ｃ、クロック信号供給部５、操作部６、表示部７、メモリ８および制御部９を備えて構成されている。なお、３枚のＤＭＭユニット３ａ〜３ｃ（以下、区別しないときには「ＤＭＭユニット３」ともいう）を装着可能な構成の測定装置本体２を例に挙げて説明するが、１台の測定装置本体２に装着可能なＤＭＭユニット３の枚数は３枚に限定されず、２枚、または４枚以上の任意の数とすることができる。
【００１５】
ＤＭＭユニット３は、「測定ユニット」に相当し、一例として、直流電圧値、直流電流値、交流電圧値、交流電流値および抵抗値の各電気的パラメータ（「測定対象の物理量」の一例）のうちから選択された電気的パラメータを任意の測定レンジで測定し、その測定値を示す測定データＤａ〜Ｄｃを生成して出力する「測定データ生成処理」を、設定された測定周期（「予め規定された周期」の一例）で実行可能に構成されている。具体的には、図２に示すように、各ＤＭＭユニット３は、測定対象からの入力信号Ｓｉａ〜Ｓｉｃ（図１参照）をＡ／Ｄ変換してデジタルの測定値を生成する「測定処理」、「測定処理」によって生成した測定値を予め規定された手順に従って補正する「補正処理」、および「補正処理」によって補正した測定値を測定データＤａ〜Ｄｃとして出力する「データ出力処理」の３つの処理（同図では「測定」、「補正」および「出力」のように図示している）を「測定データ生成処理」として実行する構成が採用されている。
【００１６】
一方、ユニット装着用スロット４ａ〜４ｃ（以下、区別しないときには、「ユニット装着用スロット４」ともいう）は、「測定ユニット装着部」に相当し、上記の各ＤＭＭユニット３をそれぞれ装着可能に構成されている。クロック信号供給部５は、制御部９の制御に従い、各ユニット装着用スロット４を介して各ＤＭＭユニット３にクロック信号Ｓｃを供給する。操作部６は、測定装置１（ＤＭＭユニット３）の動作条件を設定したり、処理開始を指示したりするための各種操作スイッチを備え、スイッチ操作に応じた操作信号を制御部９に出力する。表示部７は、制御部９によってデータ処理された処理結果（ＤＭＭユニット３による測定結果）を表示する。メモリ８は、一例として、フラッシュメモリで構成されて、各ＤＭＭユニット３から出力された測定データＤａ〜Ｄｃを制御部９の制御に従って記憶する。
【００１７】
制御部９は、測定装置１を総括的に制御する。具体的には、制御部９は、「処理部」に相当し、各ユニット装着用スロット４を介して「測定データ生成処理」の処理条件を示す制御信号Ｓｓａ〜Ｓｓｃ（割り込み制御信号）を各ＤＭＭユニット３に出力して「測定データ生成処理」を実行させる。また、制御部９は、クロック信号供給部５を制御して各ＤＭＭユニット３に各ユニット装着用スロット４を介してクロック信号Ｓｃを供給させる。さらに、制御部９は、各ＤＭＭユニット３による「測定データ生成処理」によって生成された測定データＤａ〜Ｄｃをメモリ８に記憶させる「データ記憶処理（「予め規定されたデータ処理」の一例）」を実行すると共に、各測定データＤａ〜Ｄｃに基づく測定結果を表示部７に表示させる「測定結果表示処理（「予め規定されたデータ処理」の他の一例）」を実行する。
【００１８】
この測定装置１の使用に際しては、まず、図１に示すように、各ユニット装着用スロット４にＤＭＭユニット３をそれぞれ装着する。次いで、操作部６を操作して動作条件設定画面（図示せず）を表示部７に表示させ、各ＤＭＭユニット３の動作条件（「測定データ生成処理」の実行条件）を設定する。この際には、一例として、測定対象の交流電圧値（「物理量」の一例）を１５ｍｓの周期（「予め規定された周期」の一例）で測定して測定データＤａ〜Ｄｃを生成する処理を実行するように各ＤＭＭユニット３の動作条件をそれぞれ設定する（「各測定ユニット」に対して同じ動作条件を設定する例）。
【００１９】
続いて、図示しない測定ケーブルを介して各ＤＭＭユニット３を測定対象にそれぞれ接続した後に、操作部６を操作して、一例として、ＤＭＭユニット３ａ、ＤＭＭユニット３ｂ、およびＤＭＭユニット３ｃの順で「測定データ生成処理」を開始させる。この際に、制御部９は、クロック信号供給部５を制御して各ＤＭＭユニット３に対するクロック信号Ｓｃの供給を開始させると共に、上記の設定操作によって設定された動作条件に従って「測定データ生成処理」を実行させるための制御信号Ｓｓａ〜Ｓｓｃを、各ＤＭＭユニット３に対して処理開始を指示された順にそれぞれ送信する。この場合、本例の測定装置１では、後述する同期動作設定を行わない限り、各ユニット装着用スロット４に装着されているＤＭＭユニット３が、それぞれ別個に「測定データ生成処理」を実行する構成が採用されている。したがって、制御信号Ｓｓａ〜Ｓｓｃの送信によって「測定データ生成処理」の開始をそれぞれ指示された各ＤＭＭユニット３では、図２に示すように、「測定処理」、「補正処理」および「データ出力処理」からなる「測定データ生成処理」が、クロック信号Ｓｃに同期してそれぞれ別個に実行される。
【００２０】
この結果、図２に示すように、時点ｔ１において、ＤＭＭユニット３ａでは「測定処理」が実行され、ＤＭＭユニット３ｂでは「補正処理」が実行され、ＤＭＭユニット３ｃでは「データ出力処理」が実行される。なお、図２に示す例では、時点ｔ２ａ〜ｔ３ａまでの時間Ｔ１ａ（この例では、１５ｍｓ）がＤＭＭユニット３ａにおいて実行される「測定データ生成処理」の「予め規定された周期」に相当し、時点ｔ２ｂ〜ｔ３ｂまでの時間Ｔ１ｂ（この例では、１５ｍｓ）がＤＭＭユニット３ｂにおいて実行される「測定データ生成処理」の「予め規定された周期」に相当し、時点ｔ２ｃ〜ｔ３ｃまでの時間Ｔ１ｃ（この例では、１５ｍｓ）がＤＭＭユニット３ｃにおいて実行される「測定データ生成処理」の「予め規定された周期」に相当する。この場合、各ＤＭＭユニット３において実行される「測定データ生成処理」の「予め規定された周期」は互いに等しい周期に設定されている。
【００２１】
上記のように各ＤＭＭユニット３毎に「測定データ生成処理」が実行されている状態においては、各ＤＭＭユニット３から各ユニット装着用スロット４を介して測定データＤａ〜Ｄｃがそれぞれ出力される。これに応じて、制御部９は、出力された測定データＤａ〜Ｄｃをメモリ８に順次記憶させる「データ記憶処理」と、測定データＤａ〜Ｄｃに基づく測定結果を表示部７に表示させる「測定結果表示処理」とを並行して実行する。これにより、各ＤＭＭユニット３から出力された測定データＤａ〜Ｄｃがメモリ８に記憶されると共に、ＤＭＭユニット３ａ〜３ｃによる「測定処理」の測定結果が表示部７に表示される。なお、制御部９は、各ＤＭＭユニット３に対して、一例として１２．８ミリ秒間隔で制御信号Ｓｓａ〜Ｓｓｃを定期的に送信する。これにより、制御部９から処理終了を指示する制御信号が出力されるまで、各ＤＭＭユニット３による「測定データ生成処理」が繰り返し実行される。
【００２２】
この場合、上記のような各ＤＭＭユニット３毎の独立した「測定データ生成処理」の実行に代えて、各ＤＭＭユニット３を同期させて「測定データ生成処理」を実行させる際には、一例として、操作部６を操作して動作条件設定画面を表示させ、同期させるべきＤＭＭユニット３（一例として、ＤＭＭユニット３ａ〜３ｃのすべて）を選択した後に、同期処理の実行を指示する。なお、同期させるべきＤＭＭユニット３を選択する構成に代えて、ユニットの選択操作を行うことなく、同期処理の実行を指示するだけで、実装されているＤＭＭユニット３のすべてを同期させる構成を採用することもできる。
【００２３】
一方、同期処理の実行を指示されたときに、制御部９は、例えば、図３に示す時点ｔ４において、上記の制御信号Ｓｓａ〜Ｓｓｃに「処理開始信号」を含ませて各ＤＭＭユニット３に対して一斉に送信する（「各測定ユニットに処理開始信号を一斉に出力し」との処理の一例）。より具体的には、一例として、６４ｂｉｔ長の制御信号Ｓｓａ〜Ｓｓｃのうちの１ｂｉｔ長を用いて「処理開始信号」を制御信号Ｓｓａ〜Ｓｓｃの一部として各ＤＭＭユニット３に出力する。
【００２４】
これに応じて、各ＤＭＭユニット３は、同図に示すように、制御部９から「処理開始信号」を含む制御信号Ｓｓａ〜Ｓｓｃが出力された時点ｔ４において、実行中の「測定データ生成処理」を中断して新たな「測定データ生成処理」を開始する。具体的には、同図に示す例では、時点ｔ４の直前に「測定処理」を実行していたＤＭＭユニット３ａでは、時点ｔ４に出力された制御信号Ｓｓａ内の「処理開始信号」に従い、時点ｔ４から「測定処理」を新たに開始する。また、時点ｔ４の直前に「補正処理」を実行していたＤＭＭユニット３ｂでは、時点ｔ４に出力された制御信号Ｓｓｂ内の「処理開始信号」に従い、時点ｔ４から「測定処理」を新たに開始する。さらに、時点ｔ４の直前に「データ出力処理」を実行していたＤＭＭユニット３ｃでは、時点ｔ４に出力された制御信号Ｓｓｃ内の「処理開始信号」に従い、時点ｔ４から「測定処理」を新たに開始する。
【００２５】
したがって、各ＤＭＭユニット３に対して同じ動作条件が設定されているこの例では、時点ｔ４，ｔ５・・の各時点において互いに同期した「測定データ生成処理」が各ＤＭＭユニット３において実行されて測定データＤａ〜Ｄｃが生成され、この測定データＤａ〜Ｄｃがメモリ８に記憶されると共に、測定データＤａ〜Ｄｃに基づく測定結果が表示部７に表示される。
【００２６】
一方、この測定装置１では、各ＤＭＭユニット３毎の動作条件を別個に設定することで、各ＤＭＭユニット３を互いに相違する動作条件に従って動作させることができる。具体的には、前述したように動作条件設定画面を表示部７に表示させた状態において、一例として、測定対象の交流電圧値（「物理量」の一例）を２０ｍｓの周期（「予め規定された周期」の一例）で測定して測定データＤａを生成する処理を繰り返し実行するようにＤＭＭユニット３ａの動作条件を設定し、測定対象の交流電流値（「物理量」の他の一例）を１５ｍｓの周期（「予め規定された周期」の他の一例）で測定して測定データＤｂを生成する処理を繰り返し実行するようにＤＭＭユニット３ｂの動作条件を設定し、かつ、測定対象の抵抗値（「物理量」のさらに他の一例）を３０ｍｓの周期（「予め規定された周期」のさらに他の一例）で測定して測定データＤｃを生成する処理を繰り返し実行するようにＤＭＭユニット３ｃの動作条件を設定する（「各測定ユニット」に対して互いに相違する動作条件を設定する例）。
【００２７】
次いで、操作部６を操作して、一例として、ＤＭＭユニット３ａ、ＤＭＭユニット３ｂ、およびＤＭＭユニット３ｃの順で「測定データ生成処理」を開始させる。この際に、制御部９は、クロック信号供給部５を制御して各ＤＭＭユニット３に対するクロック信号Ｓｃの供給を開始させると共に、上記の設定操作によって設定された動作条件に従って「測定データ生成処理」を実行させるための制御信号Ｓｓａ〜Ｓｓｃを、各ＤＭＭユニット３に対して、処理開始を指示された順にそれぞれ送信する。これにより、制御信号Ｓｓａ〜Ｓｓｃの送信によって「測定データ生成処理」の開始を指示された各ＤＭＭユニット３では、図４に示すように、「測定処理」、「補正処理」および「データ出力処理」からなる「測定データ生成処理」をそれぞれ別個に実行される。
【００２８】
なお、図４に示す例では、時点ｔ６ａ〜ｔ７ａまでの時間Ｔ２ａ（この例では、２０ｍｓ）がＤＭＭユニット３ａにおいて実行される「測定データ生成処理」の「予め規定された周期」に相当し、時点ｔ６ｂ〜ｔ７ｂまでの時間Ｔ２ｂ（この例では、１５ｍｓ）がＤＭＭユニット３ｂにおいて実行される「測定データ生成処理」の「予め規定された周期」に相当し、時点ｔ６ｃ〜ｔ７ｃまでの時間Ｔ２ｃ（この例では、３０ｍｓ）がＤＭＭユニット３ｃにおいて実行される「測定データ生成処理」の「予め規定された周期」に相当する。
【００２９】
この状態において、各ＤＭＭユニット３を同期させて「測定データ生成処理」を実行させる際には、前述したように、同期させるべきＤＭＭユニット３（一例として、ＤＭＭユニット３ａ〜３ｃのすべて）を選択した後に、同期処理の実行を指示する。この際に、制御部９は、例えば、同図に示す時点ｔ８において、上記の制御信号Ｓｓａ〜Ｓｓｃに「処理開始信号」を含ませて各ＤＭＭユニット３に対して一斉に送信する（「各測定ユニットに処理開始信号を一斉に出力し」との処理の一例）。これに応じて、各ＤＭＭユニット３は、同図に示すように、制御部９から「処理開始信号」を含む制御信号Ｓｓａ〜Ｓｓｃが出力された時点ｔ８において、実行中の「測定データ生成処理」を中断して新たな「測定データ生成処理」を開始する。
【００３０】
具体的には、同図に示す例では、時点ｔ８の直前に「補正処理」を実行していたＤＭＭユニット３ａでは、時点ｔ８に出力された制御信号Ｓｓａ内の「処理開始信号」に従い、時点ｔ８から「測定処理」を新たに開始する。また、時点ｔ８の直前に「測定処理」を実行していたＤＭＭユニット３ｂでは、時点ｔ８に出力された制御信号Ｓｓｂ内の「処理開始信号」に従い、時点ｔ８から「測定処理」を新たに開始する。さらに、時点ｔ８の直前に「データ出力処理」を実行していたＤＭＭユニット３ｃでは、時点ｔ８に出力された制御信号Ｓｓｃ内の「処理開始信号」に従い、時点ｔ８から「測定処理」を新たに開始する。したがって、各ＤＭＭユニット３に対して互いに相違する動作条件が設定されているこの例においても、時点ｔ８を先頭として、６０ｍｓ間隔で到来する各時点において互いに同期した「測定データ生成処理」が各ＤＭＭユニット３において実行されて測定データＤａ〜Ｄｃが生成され、この測定データＤａ〜Ｄｃがメモリ８に記憶されると共に、測定データＤａ〜Ｄｃに基づく測定結果が表示部７に表示される。
【００３１】
このように、この測定装置１によれば、制御部９が、ユニット装着用スロット４を介して各ＤＭＭユニット３に「処理開始信号」（本例では、制御信号Ｓｓａ〜Ｓｓｃ）を一斉に出力し、ＤＭＭユニット３が、「処理開始信号」が出力されたときに、実行中の「測定データ生成処理」を中断して新たな「測定データ生成処理」を開始することにより、制御部９から各ＤＭＭユニット３へ「処理開始信号」を出力するための専用の同期制御ケーブルを使用することなく、各ＤＭＭユニット３を同期動作させることができるため、同期制御ケーブルや同期制御コネクタを不要とすることができる分だけ、測定装置１の製造コストを低減することができる。また、マスタのデジタルマルチメータボードからスレーブのデジタルマルチメータボードにイベント信号を送信して各デジタルマルチメータボードを同期動作させる構成とは異なり、制御部９が一斉出力する制御信号Ｓｓａ〜Ｓｓｃ（処理開始信号）に従ってすべてのＤＭＭユニット３が新たな「測定データ生成処理」を一斉に開始する構成のため、各ＤＭＭユニット３の間に同期ずれを生じさせることなく「測定データ生成処理」をそれぞれ実行させることができる。
【００３２】
また、この測定装置１によれば、制御信号Ｓｓａ〜Ｓｓｃの一部に「処理開始信号」を含ませて各ＤＭＭユニット３に出力することにより、「処理開始信号」を出力するための信号線用の専用の接続端子をユニット装着用スロット４やＤＭＭユニット３に設けることなく、制御部９からＤＭＭユニット３に「処理開始信号」を出力することができるため、測定装置１の製造コストを一層低減することができる。
【００３３】
なお、「処理開始信号」を制御信号Ｓｓａ〜Ｓｓｃに含ませてＤＭＭユニット３に出力する構成を例に挙げて説明したが、各ＤＭＭユニット３の動作条件を示す制御信号Ｓｓａ〜Ｓｓｃとは別個に、ユニット装着用スロット４を介して「処理開始信号」を各ＤＭＭユニット３に出力する構成を採用することもできる。また、「データ処理」の一例として「データ記憶処理」および「測定結果表示処理」の２つを実行する構成を例に挙げて説明したが、「データ処理」として「データ記憶処理」だけを実行する構成、および「データ処理」として「測定結果表示処理」だけを実行する構成を採用することができる。また、「データ記憶処理」および「測定結果表示処理」以外の各種処理を「データ処理」として実行する構成を採用することもできる。
【符号の説明】
【００３４】
１  測定装置
２  測定装置本体
３ａ〜３ｃ  ＤＭＭユニット
４ａ〜４ｃ  ユニット装着用スロット
５  クロック信号供給部
６  操作部
７  表示部
８  メモリ
９  制御部
Ｄａ〜Ｄｃ  測定データ
Ｓｃ  クロック信号
Ｓｉａ〜Ｓｉｃ  入力信号
Ｓｓａ〜Ｓｓｃ  制御信号
ｔ１，ｔ２ａ〜ｔ２ｃ，ｔ３ａ〜ｔ３ｃ，ｔ４，ｔ５，ｔ６ａ〜ｔ６ｃ，ｔ７ａ〜ｔ７ｃ，ｔ８  時点
Ｔ１ａ〜Ｔ１ｃ，Ｔ２ａ〜Ｔ２ｃ  時間
【図１】
2014044167.tif 000003
【図２】
2014044167.tif 000004
【図３】
2014044167.tif 000005
【図４】
2014044167.tif 000006